(57)【要約】【課題】頭皮だけでなく毛髪にも良好な影響を与えるようにした振動発生機能を有するヘアブラシであって、ブラシ本体のピンを静電気の発生を抑えた状態で振動させてブラッシングすることにより、髪のウネリ、ハネ、髪の広がりを抑え、サラサラでストレートな毛髪にすることができるようにしたヘアブラシを提供する。【解決手段】ブラシ本体２の内部に振動発生装置３が設けられたヘアブラシ１において、ブラシ本体２の表側に設けられたドーム形状の弾性を有するラバーパッド４に間隔をあけて植設された多数のピン５、５…を金属又は金属メッキを有して形成する一方、ラバーパッド４の裏面に磁石６を設けることによって、多数のピン５、５…に磁力を付与すると共に、夫々のピン５に振動発生装置３による振動が伝達されるようにした。【選択図】図２
2007037978.tif 000002
【特許請求の範囲】
【請求項１】
ブラシ本体の内部に振動発生装置が設けられたヘアブラシにおいて、前記ブラシ本体の表側に設けられたドーム形状の弾性を有するラバーパッドに間隔をあけて植設された多数のピンを金属又は金属メッキを有して形成する一方、前記ラバーパッドの裏面に磁石を設けることによって、前記多数のピンに磁力を付与すると共に、夫々のピンに前記振動発生装置による振動が伝達されるようにしたことを特徴とするヘアブラシ。
【請求項２】
前記ピンは球状頭部を有すると共に、該ピンの根部に所定間隔をあけた上下の係止環を有してなり、前記ラバーパッドに設けられた多数の植穴に挿通された前記ピンを前記上下の係止環で挟持することによって夫々のピンが自由に傾倒可能に取付けられたことを特徴とする請求項１記載のヘアブラシ。
【請求項３】
前記振動発生装置は、前記ブラシ本体の内部に固定された電動モータの回転軸にウエイトを偏心状態で固定してなることを特徴とする請求項１又は２記載のヘアブラシ。
【請求項４】
前記ブラシ本体に設けられたグリップ部の内部を電池収納室とし、グリップ部の端部に着脱自在に設けられた電池蓋を開けることによって電池を交換可能にしたことを特徴とする請求項１、２又は３記載のヘアブラシ。
【請求項５】
前記夫々のピンは、金属、金属メッキ又はクロムメッキを有して形成されていることを特徴とする請求項１、２、３又は４記載のヘアブラシ。
【請求項６】
前記ブラシ本体のヘッド部の形状は、楕円形、長方形又は菱形等の四角形、三角形、正円形又は多角形による形状からなることを特徴とする請求項１、２、３、４又は５記載のヘアブラシ。
【請求項７】
前記ラバーパッドに、セラミック炭素、鉱石の他に、頭皮や髪に良い影響を与える物質を塗布又は練り込んで含ませたことを特徴とする請求項１、２、３、４、５又は６記載のヘアブラシ。
【発明の詳細な説明】
【技術分野】
【０００１】
本発明は、振動発生機能を有するヘアブラシに係り、ブラッシングすることによって毛髪をサラサラでストレートにすることができ、且つ頭皮をマッサージすることができるヘアブラシに関する。
【背景技術】
【０００２】
従来、頭髪をブラッシングするためのヘアブラシは、植設されたピンの材料としてナイロンや動物の毛等を採用しているものが一般的である。
【０００３】
このようなヘアブラシであって振動発生機能を有するものとして、特許文献１に記載されたブラシがある。このブラシは、図６に示すように、中空状の本体４１と、本体４１に内蔵された振動発生装置（不図示）と、ブラシ部４２を有し本体４１の一面に設けられたブラシ体４３と、本体４１の他の面４５に設けられた突起部４４を有する突起体４６とを備えるものである。このような構成により、本体４１の振動発生装置による振動をブラシ体４３に伝達して頭皮をマッサージすることにより、血行を促進する一方、本体４１の振動発生装置による振動を本体４１の他の面４５の突起体４６にも伝達し、これを肩や手足に当てることによってマッサージすることを可能としたものである。
【特許文献１】特開平９−１７３１４７号公報
【発明の開示】
【発明が解決しようとする課題】
【０００４】
ところで、上記のブラシ体４３は、ポリエステル等のエラストマーから構成されているため、ブラシ体４３が弾性を有し、上記のようにブラシ体４３を頭皮に当てて振動させた場合、その弾性によってマッサージ効果を向上させるという効果を有する。
【０００５】
ところが、このようなポリエステル等の合成樹脂を使用したブラシ体４３で毛髪をブラッシングすると、毛髪に静電気が発生し、使用者に不快感を与えるだけでなく、毛髪が絡まったり、ウネリやハネが生じたりして、毛髪をサラサラのストレート状態にすることができないという問題があった。
【０００６】
本発明は、以上の事情に鑑みてなされたもので、頭皮をマッサージするだけでなく毛髪にも良好な影響を与えるようにした振動発生機能を有するヘアブラシであって、ブラシ本体のピンを静電気の発生を抑えた状態で振動させてブラッシングすることにより、髪のウネリ、ハネ、髪の広がりを抑え、サラサラでストレートな毛髪にすることができるようにしたヘアブラシを提供することを目的とする。
【課題を解決するための手段】
【０００７】
上記の目的を達成するために、本発明の請求項１に記載したヘアブラシは、ブラシ本体の内部に振動発生装置が設けられたヘアブラシにおいて、前記ブラシ本体の表側に設けられたドーム形状の弾性を有するラバーパッドに間隔をあけて植設された多数のピンを金属又は金属メッキを有して形成する一方、前記ラバーパッドの裏面に磁石を設けることによって、前記多数のピンに磁力を付与すると共に、夫々のピンに前記振動発生装置による振動が伝達されるようにしたことを特徴とする。
【０００８】
また、本発明の請求項２は、請求項１において、前記ピンは球状頭部を有すると共に、該ピンの根部に所定間隔をあけた上下の係止環を有してなり、前記ラバーパッドに設けられた多数の植穴に挿通された前記ピンを前記上下の係止環で挟持することによって夫々のピンが自由に傾倒可能に取付けられたことを特徴とする。
【０００９】
また、本発明の請求項３は、請求項１又は２において、前記電動発生装置として、電動モータの回転軸に偏心して設けられたウエイトを設けてなることを特徴とする。
【００１０】
また、本発明の請求項４は、請求項１、２又は３において、前記ブラシ本体に設けられたグリップ部の内部を電池収納室とし、グリップ部の端部に着脱自在に設けられた電池蓋を開けることによって電池を交換可能にしたことを特徴とする。
【００１１】
また、本発明の請求項５は、請求項１、２、３又は４において、前記夫々のピンは、金属、金属メッキ又はクロムメッキを有して形成されていることを特徴とする。
【００１２】
また、本発明の請求項６は、請求項１、２、３、４又は５において、前記ブラシ本体のヘッド部の形状は、楕円形、長方形又は菱形等の四角形、三角形、正円形又は多角形による形状からなることを特徴とする。
【００１３】
さらに、本発明の請求項７は、請求項１、２、３、４、５又は６において、前記ラバーパッドに、セラミック炭素、鉱石の他に、頭皮や髪に良い影響を与える物質を含ませたことを特徴とする。
【発明の効果】
【００１４】
本発明のヘアブラシは、頭皮のマッサージ効果を有するだけでなく毛髪にも良好な影響を与えるようにした振動発生機能を有するヘアブラシであって、ドーム形状の弾性を有するラバーパッドに間隔をあけて植設された多数のピンにより形成する他、夫々のピンを金属、金属メッキ又はクロムメッキを有して形成する一方、ラバーパッドの裏面に磁石を設けることによって、多数のピンに磁力を付与すると共に、夫々のピンに振動発生装置による振動が伝達されるようにしたものであり、ブラッシングの際に静電気が発生し難く、毛髪への負担を軽減して、くしの通りを良くすることができる。
【００１５】
また、上記の構成において、ラバーパッドは弾性を有するドーム形状に形成されたことによって、ブラッシングの際に毛髪をとらえやすくなり、またブラッシングそのものが行い易くなる。
【００１６】
さらに、夫々のピンが磁力を帯びることによって、ブラッシングの際、又はピンが毛髪や頭皮に触れた際に、毛髪や頭皮を活性化し、血液の循環を良くし、新陳代謝を促進させる効果を発揮する。
【００１７】
さらに、ブラッシングの際、またはヘアブラシを頭皮に当てた際、夫々のピンを介して振動発生装置による振動が伝達され、頭皮がマッサージされると共に、絡まった毛髪が振動よってほぐされることによって、くしの通りが良好なものとなる。
【００１８】
従って、上記のような構成及び効果によって、本発明のヘアブラシでブラッシングすることにより、髪のウネリ、ハネ、髪の広がりを抑え、サラサラでストレートな状態にすることが可能となる。
【００１９】
また、本発明によるヘアブラシは、ブラシ本体のヘッド部の形状として、楕円形、長方形又は菱形等の四角形、三角形、正円形又は多角形による形状とすることにより、機能、性能及びデザイン面においても様々に変化に富むヘアブラシとすることが可能となる。
【００２０】
さらに、ブラシ本体のラバーパッドに、セラミック炭素、鉱石の他に、頭皮や髪に良い影響を与える物質を含ませたことによって、上記のブラッシング及び振動による効果に加えて頭皮や髪に相乗的に良好な影響を与えることが可能となる。
【発明を実施するための最良の形態】
【００２１】
以下、本発明の実施例について図面を参照しながら説明する。
【実施例１】
【００２２】
本発明によるヘアブラシは、図１又は図２に示すように、ブラシ本体２の内部に振動発生装置３が設けられたヘアブラシ１において、ブラシ本体２の表側に設けられたドーム形状のラバーパッド４に間隔をあけて植設された多数のピン５、５…を金属又は金属メッキを有して形成する一方、ラバーパッド４の裏面に磁石６を設けることによって、多数のピン５、５…に磁力を付与すると共に、夫々のピン５、５…に振動発生装置３による振動が伝達されるようにしたものである。
【００２３】
以下、このような構成のヘアブラシ１についてより詳細に述べる。このヘアブラシ１の全体構成は、図１に示すように、円筒形状のグリップ部７と、該グリップ部７の片端に形成されたブラシ本体２から成り、ブラシ本体２の表側にはドーム形状のラバーパッド４が設けられ、該ラバーパッド４には間隔をあけて多数のピン５、５…が植設されている。また、グリップ部７は、その端部に電池蓋８が着脱自在に設けられ、該電池蓋８をねじ開けることによって電池（不図示）を交換可能にしている。
【００２４】
このような構成におけるヘアブラシ１のグリップ部７とブラシ本体２は合成樹脂により一体的に形成され、そのグリップ部７とブラシ本体２とを成すケースの形状は、図２に示すように、上側と下側に分割された形状に形成されている。
【００２５】
この分割された上側にブラシ本体２には楕円平面部１１が形成され、楕円平面部１１の周部には所定間隔をあけて多数の穴部１２、１２…が形成されている。また、楕円平面部１１の上部に外形を一致した状態で載置されるラバーパッド４は、該ラバーパッド４の周部に環状の固定環１３を当て、該固定環１３の下部に所定間隔をあけて設けられた突起１４を上記の楕円平面部１１の周部の各穴部１２、１２…に嵌合することによって固定状態に取り付けられる。
【００２６】
このような構成において、ラバーパッド４は薄厚の天然ゴム又は合成ゴム等をドーム形状に形成することによって弾性を発揮する弾性体として形成され、ブラッシングの際に毛髪をとらえ易く、またブラッシングそのものを行い易い形状とされている。なお、ラバーパッド４の略中央には空気穴４ａ（図１参照）が形成され、ラバーパッド４が弾性的に変形する際の空気の排出及び吸入を行うようにしている。
【００２７】
さらに、上記のドーム形状のラバーパッド４の面内には所定間隔をあけて多数の植穴１５、１５…が形成されている（図３(ａ)参照）。夫々の植穴１５は、図４(ａ)〜(ｃ)に示すように、ラバーパッド４を貫通するものであり、その植穴１５の一つ一つにピン５、５…が植設される。
【００２８】
それぞれのピン５、５…は、ステンレス等の摩擦抵抗の低い金属を用いて細径棒状に形成するか、鉄等の金属又は合成樹脂等による細径棒状の周部に金属メッキ又はクロムメッキ等の摩擦抵抗の低いメッキが施されており、ブラッシングの際に静電気が発生し難い構成となり、毛髪への負担を軽減して、くし通りを良くすることができる。
【００２９】
また、図１、図３或いは図４(ａ)〜(ｃ)に示すように、ピン５、５…の頭部を球形状、即ち球状頭部１６とすることにより、ブラッシングの際に頭皮に接触する面積を広げ、ブラッシングの際のすべての方向への抵抗を軽減し、頭皮を傷つけ難いブラシとすることができる。
【００３０】
また、図４(ａ)〜(ｃ)に示すように、ピン５、５…の根部にはラバーパッド４を挟持するように所定間隔をあけて二枚の係止環１７ａ、１７ｂが形成され、下部の係止環１７ｂが上部の係止環１７ａよりもやや大径を有すると共に、上部の係止環１７ａの上辺が勾配１７ａｃを有するものとされている。
【００３１】
このピン５、５…をラバーパッド４の植穴１５に植設するには、図４（ａ）、(ｂ)に示すように、ラバーパッド４の裏側からピン５、５…の球状頭部１６を先頭にして挿通し、図４(ｃ)に示すように、ピン５、５…の根部の二枚の係止環１７ａ、１７ｂの間でラバーパッド４を挟むようにする。
【００３２】
このような挿通作業の際に、ピン５、５…の上部の係止環１７ａは上方に勾配１７ａｃを有するため、植穴１５に挿通する作業が容易となる。また、ピン５の取付け後において、下部の大径の係止環１７ｂがピン５の抜け出しを防止する機能を有し、ブラッシング等の際においても、夫々のピン５、５…をラバーパッド４の植穴１５に固定した状態を保つことができる。
【００３３】
このような構成により、夫々のピン５、５…にラバーパッド４のクッション効果が発揮され、またピン５、５…が根部で自由に傾倒するため、ブラッシングの際に、ピン５、５…に強い力が加わった場合でも、ピン５、５…が自由に傾いたり、ラバーパッド４に吸収されたりして、毛根に過度な負担をかけず、容易にブラッシングすることができ、頭皮に心地よいマッサージを行うことが可能となる。
【００３４】
また、図２に示すように、ラバーパッド４の裏側に磁石６を設ける構成として、ブラシ本体２の楕円平面部１１に設けられた後述する上側収納枠２１の上部に、例えば４個の板状の磁石６、６…を配列して接着材６ａで固定した構成としている。なお、磁石６の使用個数としては、４個以上又は４個以下の磁石６を使用してもよい。いずれにしても、磁石６の数が多いほど、周辺に及ぼす磁力が強力になり、夫々のピン５、５…は磁力を帯びることとなる。
【００３５】
このようにピン５、５…が磁力を帯びることによって、ブラッシングの際に、ピン５、５…が毛髪や頭皮に触れると、毛髪や頭皮を活性化し、血液の循環を良くし、新陳代謝を促進させる効果を発揮することとなる。
【００３６】
さらに、図２に示すように、ブラシ本体２の楕円平面部１１にはその下方に設ける電動モータ２０の上側収納枠２１が形成されている。また、ブラシ本体２を分割した下側は図示の下方に湾曲状に膨れた底側カバー部１８を有し、この底側カバー部１８とグリップ部７の分割された下側が一体的に形成されている。
【００３７】
そして、この底側カバー部１８にはその上方に設ける電動モータ２０の下側収納枠２２が形成され、電動モータ２０を下側収納枠２１の内部に収納し、モータカバー１９を被せ、該モータカバー１９の両端をネジ２１ｂで下側収納枠２１に設けられた両側のネジ穴２１ａ、２１ａにねじ込むことによって、電動モータ２０をブラシ本体２の底側カバー部１８に固定した状態に取付けるようにしている。
【００３８】
上記の電動モータ２０は、図３(ａ)及び(ｂ)に示すように、回転軸２０ａに円形のウエイト２３の偏心位置が固定されており、この電動モータ２０を駆動することによってウエイト２３が偏心状態で回転することにより振動が発生し、この振動が底側カバー部１８に伝達され、さらにはラバーパッド４へと振動が伝達され、それぞれのピン５、５…が振動することとなる。
【００３９】
なお、上記の電動モータ２０、その他の振動発生装置による振動数は、３０００回転／分、４０００回転／分、５０００回転／分、又は６０００回転／分以上とするのが好ましい。
【００４０】
このような構成によって、ブラッシングの際、またはヘアブラシ１を頭皮に当てた際に、夫々のピン５、５…を介して振動が伝達され、頭皮がマッサージされると共に、絡まった毛髪が振動によってほぐされ、くし通りが良好なものとなる。
【００４１】
また、グリップ部７は円筒形を上下側に半割りにした形状とされ、両者を合致することによって内部にスイッチ収納室２４と電池収納室２５とが形成された円筒形となる。また、このように円筒体を成すグリップ部７の端部には着脱自在に電池蓋８が設けられている。
【００４２】
この電池蓋８は、グリップ部７の端部にOリング９の嵌合溝１０を介して電池蓋８の嵌合端部７ａを有してなり、この嵌合端部７ａにL字形状の嵌め込み溝７ｂが形成され、電池蓋８の内部の突起８ａを案内して嵌め込むことにより、電池蓋８を着脱自在に取り付けるようにしている。
【００４３】
また、電池蓋８の奥部には正極弾片２６が設けられ、グリップ部７内の電池収納室２５にはバネ２７を介して負極弾片２８が設けられている。なお、グリップ部７の下側には電池を収納する際の方向を示す電池表示ラベル２９が付設される。
【００４４】
さらに、グリップ部７の内部には電池蓋８を閉じた際に電池蓋８の正極弾片２６に接触する導体片３０が設けられている。この導体片３０と上記の負極弾片２８とを連結するスイッチ３１がグリップ部７内に設けられると共に、スイッチ３１の上部にバネ３２を介してスイッチキャップ３３が設けられ、このスイッチキャップ３３がグリップ部７の上側の穴部７ｃから突出して、スイッチ３３の押し込み操作を行うことができる。また、これによって、スイッチ３３にリード線（不図示）で接続された電動モータ２０を回転し、上記のように振動を発生することとなる。
【００４５】
また、図１に示すブラシ本体２のヘッド部の形状は、機能、性能及びデザイン面においても好ましい楕円形を採用しているが、他の機能、性能及びデザイン効果を図るために、図５に示すような長方形又は菱形等の四角形、三角形、正円形、多角形等の形状としてもよい。なお、図５に示す各部の構造は図１に示すものと同様であるため、説明を省略する。
【００４６】
さらに、上記構成において、ラバーパッド４に、セラミック炭素、トルマリンやゲルマニウム等の鉱石の他に、頭皮や髪に良い影響を与える物質を塗布又は練り込み等により含ませるようにして、それらの物質による相乗的な効果を得るようにしてもよい。
【産業上の利用可能性】
【００４７】
本発明のヘアブラシは、頭皮だけでなく毛髪にも良好な影響を与えるようにした振動発生機能を有するヘアブラシであって、多数のピンに磁力を付与すると共に、夫々のピンを振動状態にしてブラッシングすることにより、髪のウネリ、ハネ、髪の広がりを抑え、サラサラでストレートな状態にすることができるようにしたヘアブラシとしての利用が可能となる。
【図面の簡単な説明】
【００４８】
【図１】本発明によるヘアブラシの全体構成を示す斜視図である。
【図２】本発明によるヘアブラシの分解斜視図である。
【図３】（ａ）は本発明によるヘアブラシの縦断面図であり、(ｂ)は本発明によるブラシ本体の内部を示す平面図である。
【図４】(a)〜（c）は、本発明によるヘアブラシのラバーパッドの植穴にピンを植設する方法を示す断面図である。
【図５】本発明によるヘアブラシのヘッド部を四角形状に形成した例を示す斜視図である。
【図６】特許文献１に関するブラシを示す図であり、（ａ）は側面図、(ｂ)は本体の他の面を示す平面図である。
【符号の説明】
【００４９】
１  ヘアブラシ
２  ブラシ本体
３  振動発生装置
４  ラバーパッド
４ａ  空気穴
５  ピン
６  磁石
７  グリップ部
７ａ  嵌合端部
７ｂ  嵌め込み溝
８  電池蓋
８ａ  突起
９  Oリング
１０  嵌合溝
１１  楕円平面部
１２  穴部
１３  固定環
１４  突起
１５  植穴
１６  球状頭部
１７ａ、１７ｂ  係止環
１８  底側カバー部
１９  モータカバー
２０  電動モータ
２０ａ  回転軸
２１  上側収納枠
２１ａ  ネジ穴
２１ｂ  ネジ
２２  下側収納枠
２３  ウエイト
２４  スイッチ収納室
２５  電池収納室
２６  正極弾片
２７  バネ
２８  負極弾片
２９  電池表示ラベル
３０  導体片
３１  スイッチ
３２  バネ
３３  スイッチキャップ
【図１】
2007037978.tif 000003
【図２】
2007037978.tif 000004
【図３】
2007037978.tif 000005
【図４】
2007037978.tif 000006
【図５】
2007037978.tif 000007
【図６】
2007037978.tif 000008